【事件の表示】
　特願２０１１−　２９６１２「入力装置、ハンドヘルド装置及び制御方法」拒絶査定不服審判事件〔平成２３年　６月　２日出願公開、特開２０１１−１０８２７０〕について、次のとおり審決する。
【結　論】
　本件審判の請求は、成り立たない。
【理　由】
１．手続の経緯
　本願は、平成２１年１０月１９日（優先権主張平成２０年１２月２５日）に出願された特願２００９−２４０５９２号の一部を、平成２３年２月１５日に新たな特許出願としたものであって、平成２５年６月４日付けで拒絶理由が通知され、同年８月１２日付けで手続補正がなされたが、平成２６年１月１４日付けで拒絶査定がなされ、これに対し、同年４月２１日に拒絶査定不服審判の請求がなされたものである。
　
２．本願発明
　本願の請求項１３に係る発明（以下、「本願発明」という。）は、平成２５年８月１２日付けの手続補正書の請求項１３に記載された次のとおりのものである。
「　　【請求項１３】
　画面に表される画像の動きを制御するために対象物の動きを検出し、前記対象物の動きに応じた動き信号を出力する動き信号出力手段と、
　前記動き信号に応じた、前記画像の動きを制御するための制御コマンドを発生する制御コマンド発生手段と、
　前記画像の動きの制御を目的としないユーザの操作を検出し、前記操作による操作信号を出力する操作信号出力手段と、
　前記操作信号に基づき操作コマンドを発生する操作コマンド発生手段と、
　前記操作コマンドの発生タイミングに時間的に関連して、前記画面上で前記画像の動きが停止されるように、前記制御コマンド発生手段を制御する制御手段と
　を具備する入力装置。」
　
　なお、次の（１）、（２）を考慮し、本願発明でいう「入力装置」は、本願明細書、図面に示される「『入力装置１』と『制御装置４０』の両方を合わせたもの」を少なくとも含むと解する。
（１）請求項１３には、「入力装置」が単一の筐体内に収容される装置である旨の限定はない。
（２）本願発明は、本願明細書の段落【０１０７】〜【０１１８】に［操作コマンドに関連して、ポインタの動きが停止される実施の形態］として記載された実施の形態を当然に含むものと解されるが、本願明細書の当該箇所には、本願発明の「前記動き信号に応じた、前記画像の動きを制御するための制御コマンドを発生する制御コマンド発生手段」に対応する部分と「前記制御コマンド発生手段を制御する制御手段」に対応する部分は、本願明細書でいう「入力装置１」側ではなく「制御装置４０」側に設けられる形態しか記載されていない。
　
　また、本願明細書の段落【０１０７】等の記載を考慮し、本願発明でいう「前記操作コマンドの発生タイミングに時間的に関連して、前記画面上で前記画像の動きが停止されるように、前記制御コマンド発生手段を制御する制御手段」は、本願の図１３（Ｃ）の上から３番目の矢印で示されるような期間に「前記画像の動き」が停止されるように制御するものを当然に含むと解する。
　
３．引用発明 
　原査定の拒絶の理由で引用された特願平７−２８４１６６号公報（以下、「引用例」という。）には、次の記載がある。
　
「【請求項３３】  空間中で遠隔操作部（１）を動かすことにより、被遠隔操作部（２１）のディスプレイ（１００）画面上に表示されているカーソル（１０８）を、上記画面上に表示されているアイコン上に移動させて選択し、命令を与え操作する遠隔操作装置において、
上記遠隔操作部（１）は、
上記遠隔操作部の、上記ディスプレイに対する相対位置を検出し、該位置を表わす信号を発生する位置検出手段（７７ａ、７５ａ）と、
上記遠隔操作部の動きを検出して該動きを表わす信号を発生する動き検出手段（２、２ａ、１９、１９ａ、１９ｂ）と上記画面上に表示されているアイコンを選択するために操作される選択スイッチ（９、５７）と、
上記動き検出手段の出力信号および上記選択スイッチ（９）の出力信号を送信する手段（１２、６１）とを備え、
上記被遠隔操作部（２１）は、
上記送信された信号を受信する手段（２６）と、
上記受信手段で受信された信号に基づいて上記カーソルを移動させ、上記アイコンを選択させる制御手段（２４）とを備えていることを特徴とする遠隔操作装置。」　
　
「【請求項３７】  上記選択スイッチによるアイコンの選択から一定時間は、上記カーソルの移動が起こらないようにする動作停止手段を備えたことを特徴とする請求項３３に記載の装置。」
　
「【００２５】本発明の他の目的は、選択スイッチの押し込み動作が、カーソルの位置に与える影響を抑制することにある。
【００２６】本発明の他の目的は、アイコンの選択のために選択スイッチの押し込み動作により遠隔操作部が動いても、アイコンの選択を正しく行なうことができるようにすることにある。」
　
「【０１１４】請求項３７によれば、選択スイッチによるアイコンの選択から一定時間はカーソルが移動しないようにしたので、選択スイッチによるアイコンの選択が開始してから完了まではカーソルが移動しなくなり、アイコンの選択、特にダブルクリックを確実に動作させることができる。」
　
「【０１９６】次に、この実施例１３の動作について説明する。遠隔操作部１の向き変化させたときに、振動ジャイロを用いた水平および垂直角速度検出部２、３の出力は、基準電圧発生器４、４ａ、方向検出回路５、５ａ、絶対値検出回路６、６ａ、Ｖ／Ｆ変換回路７、７ａ、信号処理回路８、８ａで構成された信号変換手段６３で、ロータリーエンコーダで発生するパルス列と等価なパルス列に変換される。このパルス列および選択スイッチ９の信号を送信器６１で並列に送信する。
【０１９７】送信器６１の信号は、受信部２５で受信され、パルス列および選択スイッチ９の信号として出力される。この信号がコード変換回路１０に入力されて制御処理部２４の規格に応じたコード信号に変換され、ケーブル２８、コネクタ２９、２２を通して制御処理部２４に入力される。この結果、遠隔操作部１の向きを変えることで、カーソルを所望のアイコン５４に向けて移動させ、カーソルが所望のアイコンに達したら、選択スイッチ９を操作して、そのアイコンを選択し、命令を与え操作することで、マウスで制御可能な被遠隔操作部２１の制御を可能とする遠隔操作装置を実現できる。」
　
「【０２０９】実施例１８
図４４は、この発明の実施例１８を示す図である。図４４（ａ）はこの実施例１８の遠隔操作部のブロック回路図で、３７、３７ａは角速度検出部２、３の出力を時間ｔだけ遅らせる遅延回路である。図４４（ｂ）はこの実施例１７の動作を示す図で、ｔ１は選択スイッチ９のストロークによって押してから接触が始まるまでの時間、ｔ２は選択スイッチ９が接触してからアイコンの動作の実行が確認されるまでの時間（例えば、図４４のスイッチ９における接触から図４０のコード変換回路１０におけるコード変換までの遅れ時間）、Ｙ１はｔ１の間に遠隔操作部１の押し込み動作により向きの変化を起こすことによってカーソル１０８が移動する距離、Ｙ２はｔ１＋ｔ２の間に遠隔操作部１の押し込み動作により向きの変化を起こすことによってカーソル１０８が移動する距離、Ｙｉは、カーソル１０８がアイコンからはみ出るまでの距離、Ｍは遅延回路６７、６７ａがない場合のカーソル１０８の移動距離、Ｍ３７は遅延回路６７、６７ａの遅延時間ｔがｔ１＋ｔ２の場合のカーソル１０８の移動距離である。
【０２１０】次に動作を説明する。まず、図４４（ｂ）に示すように、選択スイッチ９の押し込み動作により遠隔操作部１が動くと、遅延回路６７、６７ａがない場合、カーソル１０８はアイコンの選択動作の実行が確認されるまでのｔ１＋ｔ２の時点での移動量Ｙ２がＹｉを越えるので、アイコンが選択できない。しかし、遅延回路６７、６７ａがある場合、カーソル１０８の移動距離Ｍ３７はアイコンの動作の実行が確認されるまでのｔ１＋ｔ２の間移動せず、時間ｔ１＋ｔ２後に遅れて動き出すので、選択スイッチ９によるアイコンの選択は行われる。その結果、選択スイッチ９の押し込み動作によるカーソル１０８の位置への影響をなくすることができる。
【０２１１】なお、上記の説明では、カーソルがアイコンの位置にあり、静止した状態で、選択スイッチ９が押されたものと仮定している。通常、カーソルを移動させ、目的のアイコンに達すると、その後選択スイッチ９の押し込み操作までに若干の遅れがあるので、このような仮定は妥当である。
【０２１２】なお、遅延回路６７、６７ａは角速度検出部２、３の両方の出力について遅延させているが、選択スイッチ９の押し込み動作により遠隔操作部１が動く方向の角速度検出部だけでもよいことは言うまでもない。
【０２１３】実施例１９
図４５は、この発明の実施例１９を示す図である。図４５（ａ）はこの実施例１９の遠隔操作部のブロック回路図で、６８、６８ａは選択スイッチ９が接続された瞬間から遅延回路３７により時間ｔの間だけＬｏｗ側に切り換わるスイッチ回路である。図４５（ｂ）はこの実施例１９の動作を示す図で、Ｍ３８は遅延回路３７の遅延時間ｔがｔ２の場合のカーソル１０８の移動距離である。
【０２１４】次に、動作を説明する。図４５（ｂ）に示すように、スイッチ回路６８がある場合のカーソル１０８の移動距離Ｍ３８は、ｔ１の時点まではＹ１まで移動するが、ｔ１からｔ２の間は移動しないので、スイッチ回路６８がない場合のカーソル１０８の移動距離Ｍに比べてカーソル１０８の移動距離が小さくてすむ。その結果、選択スイッチ９の押し込み動作によるカーソル１０８の位置への影響を軽減できる。
【０２１５】ところで、実施例１８に示したｔ１＋ｔ２の遅延時間をｔ１として、ｔ１からｔ２の間の遅延時間ｔ２を本実施例１９で行うように組み合わせれば、角速度検出部２、３の出力を遅延させることによる反応の悪さを軽減できる。」
　
「【０２５０】実施例３９
図７１は本発明の実施例３９の遠隔操作装置の遠隔操作部および受信部を示す。図６９および図７０と同じ符号は同一または対応する部材を示す。メモリー８０は選択スイッチ９がオンした瞬間のセンサ７５ａの信号を記憶し、出力し続ける。タイマー６７ｂは選択スイッチ９がオンしてから一定時間は一定時間中であることを示す信号を出力する。例えば一定時間中、所定のレベルの信号を出力する。スイッチ回路７９は常時はセンサ７５ａの出力を選択して出力しているが、タイマー６７ｂの出力が上記一定時間中であることを示すものであるときは、メモリー８０の出力を選択する。スイッチ回路７９の出力は、信号処理回路７５ｂに送られる。このように構成する結果、選択スイッチをオンしてアイコンの選択を行なうと、選択スイッチ９のオンから一定時間はメモリー８０に記憶されたオンした瞬間における遠隔操作部の位置を表わす信号がスイッチ回路７９から出力され続ける。従って、選択スイッチ９によるアイコンの選択が開始してから完了するまでの間はカーソル１０８は移動しない。その結果、選択スイッチ９の押し込み動作によるカーソル１０８の位置への影響をなくすことができる。」
　
　そして、その請求項３３、３７の記載を特に参照すると、引用例には次の発明（以下、「引用発明」という。）が記載されているといえる。
「空間中で遠隔操作部（１）を動かすことにより、被遠隔操作部（２１）のディスプレイ（１００）画面上に表示されているカーソル（１０８）を、上記画面上に表示されているアイコン上に移動させて選択し、命令を与え操作する遠隔操作装置において、
上記遠隔操作部（１）は、
上記遠隔操作部の、上記ディスプレイに対する相対位置を検出し、該位置を表わす信号を発生する位置検出手段（７７ａ、７５ａ）と、
上記遠隔操作部の動きを検出して該動きを表わす信号を発生する動き検出手段（２、２ａ、１９、１９ａ、１９ｂ）と上記画面上に表示されているアイコンを選択するために操作される選択スイッチ（９、５７）と、
上記動き検出手段の出力信号および上記選択スイッチ（９）の出力信号を送信する手段（１２、６１）とを備え、
上記被遠隔操作部（２１）は、
上記送信された信号を受信する手段（２６）と、
上記受信手段で受信された信号に基づいて上記カーソルを移動させ、上記アイコンを選択させる制御手段（２４）と、
上記選択スイッチによるアイコンの選択から一定時間は、上記カーソルの移動が起こらないようにする動作停止手段と、
を備えている遠隔操作装置。」
　
４．対比
　上記２．の「なお、」以下に示した本願発明の解釈を踏まえ、本願発明と引用発明とを対比すると、次のことがいえる。
（１）引用発明の「遠隔操作装置」は、ユーザによる操作入力を装置に取り込む機能を有する装置であるということができるから、本願発明と同様に「入力装置」ともいい得る。
　
（２）引用発明の「上記遠隔操作部の動きを検出して該動きを表わす信号を発生する動き検出手段（２、２ａ、１９、１９ａ、１９ｂ）」は、「画面上に表示されているカーソル（１０８）」の動きを制御するために「遠隔操作部（１）」の動きを検出し、「遠隔操作部（１）」の動きに応じた動き信号を出力するものということができ、そこでいう「カーソル（１０８）」、「遠隔操作部（１）」は、それぞれ、本願発明の「画面に表される画像」、「対象物」に相当するものといえる。
　したがって、引用発明の「上記遠隔操作部の動きを検出して該動きを表わす信号を発生する動き検出手段（２、２ａ、１９、１９ａ、１９ｂ）」は、本願発明の「画面に表される画像の動きを制御するために対象物の動きを検出し、前記対象物の動きに応じた動き信号を出力する動き信号出力手段」に相当する。
　
（３）引用発明の「上記受信手段で受信された信号に基づいて上記カーソルを移動させ、上記アイコンを選択させる制御手段（２４）」のうちの、カーソルを移動させる機能をつかさどる部分は、その機能からみて、本願発明の「前記動き信号に応じた、前記画像の動きを制御するための制御コマンドを発生する制御コマンド発生手段」に相当する手段を当然に含んでいる。
　
（４）引用発明の「上記画面上に表示されているアイコンを選択するために操作される選択スイッチ（９、５７）」は、カーソルの動きの制御を目的としないユーザの操作を検出し、前記操作による操作信号を出力するものといえる。
　したがって、引用発明の当該「上記画面上に表示されているアイコンを選択するために操作される選択スイッチ（９、５７）」は、本願発明の「前記画像の動きの制御を目的としないユーザの操作を検出し、前記操作による操作信号を出力する操作信号出力手段」に相当する。
　
（５）引用発明の「上記受信手段で受信された信号に基づいて上記カーソルを移動させ、上記アイコンを選択させる制御手段（２４）」のうちの、アイコンを選択させる機能をつかさどる部分は、その機能からみて、本願発明の「前記操作信号に基づき操作コマンドを発生する操作コマンド発生手段」に相当する手段を当然に含んでいる。
　
（６）引用発明の「上記選択スイッチによるアイコンの選択から一定時間は、上記カーソルの移動が起こらないようにする動作停止手段」は、選択スイッチによるアイコンの選択から一定時間、画面上でカーソルの動きが停止されるように、制御手段（２４）を制御するものといえる。
　したがって、引用発明の「上記選択スイッチによるアイコンの選択から一定時間は、上記カーソルの移動が起こらないようにする動作停止手段」は、本願発明の 「前記操作コマンドの発生タイミングに時間的に関連して、前記画面上で前記画像の動きが停止されるように、前記制御コマンド発生手段を制御する制御手段」と、「画面上で前記画像の動きが停止されるように制御する制御手段」である点で共通する。
　
　以上によれば、本願発明と引用発明の間には次の一致点、相違点があるといえる。
(一致点)
「画面に表される画像の動きを制御するために対象物の動きを検出し、前記対象物の動きに応じた動き信号を出力する動き信号出力手段と、
　前記動き信号に応じた、前記画像の動きを制御するための制御コマンドを発生する制御コマンド発生手段と、
　前記画像の動きの制御を目的としないユーザの操作を検出し、前記操作による操作信号を出力する操作信号出力手段と、
　前記操作信号に基づき操作コマンドを発生する操作コマンド発生手段と、
　前記画面上で前記画像の動きが停止されるように制御する制御手段と
　を具備する入力装置。」である点。
　
(相違点)
　本願発明の「制御手段」は、「操作コマンドの発生タイミングに時間的に関連して、画面上で画像の動きが停止されるように、前記制御コマンド発生手段を制御する」ものであるのに対し、引用発明の「制御手段」（「動作停止手段」）は、「操作コマンドの発生タイミングに時間的に関連して、画面上で画像の動きが停止されるように、前記制御コマンド発生手段を制御する」ものではない点。
　
５．判断
（１）上記相違点について
　以下の事情を総合すると、引用発明の「制御手段」（「動作停止手段」）を、「操作コマンドの発生タイミングに時間的に関連して、画面上で画像の動きが停止されるように、前記制御コマンド発生手段を制御する」ものとすることは、当業者が容易に推考し得たことというべきである。
　
ア．引用発明において、動作停止手段によってカーソルの移動が起こらないようにする「一定時間」をどのように定めるかは、引用例の段落【００２５】、【００２６】に記載される目的を達成し得、段落【０１１４】に記載されるような効果が得られる範囲で、当業者が適宜決定すべき事項であるといえるが、その段落【０１１４】には、アイコンの選択が「完了」するまでカーソルが移動しなくなることが引用発明認定の根拠とした請求項３７に係る発明の効果として記載されている。
　したがって、当業者は、上記「一定時間」をアイコンの選択が「完了」するまでの時間とすべきことに容易に想到し得る。
　
イ．ここで、引用発明における「アイコンの選択が『完了』するまでの時間」は、選択スイッチによるアイコンの選択操作に応じて当然に出されると考えられる「操作コマンド」が出されるまでの時間と考えるのが自然である。
　このことは、引用例の段落【０２０９】〜【０２１５】に、実施例１８、１９についての記載ではあるものの、「アイコンの動作の実行が確認されるまでの時間（ｔ２）」を考慮すべきことが記載されている事実によっても裏付けられる。
　
ウ．以上によれば、引用発明でいう上記「一定時間」を、「『選択スイッチによるアイコンの選択操作に応じて当然に出されると考えられる操作コマンド』が出されるまでの時間」を考慮して定めるようにすることは、当業者が容易に推考し得たことである。
　そして、そのことは、上記２．の「また、」以下に記載した本願発明の解釈を踏まえると、引用発明の「制御手段」（「動作停止手段」）を、「操作コマンドの発生タイミングに時間的に関連して、画面上で画像の動きが停止されるように、制御する」ものとすることが当業者にとって容易であったことを意味する。
　
エ．引用発明の「制御手段」（「動作停止手段」）を、「操作コマンドの発生タイミングに時間的に関連して、画面上で画像の動きが停止されるように、制御する」ものとする際、引用発明の「制御コマンド発生手段」（「『制御手段（２４）』のうちの、カーソルを移動させる機能をつかさどる部分」が当然に含んでいる手段）を制御するようにすることは、当該「制御コマンド発生手段」の役割に照らし、ごく自然なことである。
　
オ．以上のことは、引用発明の「制御手段」（「動作停止手段」）を、「操作コマンドの発生タイミングに時間的に関連して、画面上で画像の動きが停止されるように、前記制御コマンド発生手段を制御する」ものとすることが当業者にとって容易であったことを意味する。
　
（２）本願発明の効果について
　本願発明の構成によってもたらされる効果は、引用発明から容易に想到し得た構成のものが奏するであろうと当業者が予測する範囲内のものであり、本願発明の進歩性を肯定する根拠となり得るようなものではない。
　
（３）まとめ
　したがって、本願発明は、引用発明に基づき当業者が容易に発明をすることができたものである。
６．むすび  
　以上のとおり、本願発明は、引用発明に基づいて、当業者が容易に発明をすることができたものであるから、特許法第２９条第２項の規定により特許を受けることができない。
　したがって、本願は、他の請求項について検討するまでもなく、拒絶されるべきものである。  
　よって、結論のとおり審決する。